(57)【要約】【課題】  水槽Ｔ内の貯留水を、サイフォン作用により吸い上げてその外へ排水するようにした水槽内清掃具であり、操作性がよく、清掃具内に吸い上げた水槽内の水を汚物と共に水槽外へ連続して排出することができ、吸上パイプや導水パイプに汚物が引っ掛かったり、詰まったりすることがない。【解決手段】  外力を加えることで収容容量を無段に可変とする水容器１と、水槽Ｔ内に挿入される吸上パイプ２０と、それらを連通する導水パイプ１０と、水容器１上部のエア室を外気に連通するエアパイプ１２とを備え、水容器１を外部から押圧し、またそれを解除することで、水槽Ｔ内の水をサイフォン作用で水容器１内に回収する。【選択図】      図６
2008259474.tif 000002
【特許請求の範囲】
【請求項１】
水槽（Ｔ）内の貯留水を吸い上げて水槽（Ｔ）の外へ排水するようにした、水槽内清掃具であって、
外部から外力を加えることにより弾性変形可能であり、収容容量を無段に可変とする、ボトル状の水容器（１）と、
前記水容器（１）の出入口（３）を水密に封緘する栓体（５）と、
直状の本体部分（２１）と、この本体部分（２１）の一端に連通接続される把手部分（２２）とよりなる吸上パイプ（２０）と、
一端部が、前記栓体（５）を貫通して前記水容器（１）内に開口され、他端部が前記吸上パイプ（Ａ）の把手部分（２）の自由端に連通接続される可撓性の導水パイプ（１０）と、
前記栓体（５）に設けられ、水容器（１）の上部のエア室（９）を外部に連通するエアパイプ（１２）と、
よりなる、水槽内清掃具。
【請求項２】
水槽（Ｔ）内の貯留水を吸い上げて水槽（Ｔ）の外へ排水するようにした、水槽内清掃具であって、
外部から外力を加えることにより弾性変形可能であり、収容容量を無段に可変とする、ボトル状の水容器（１）と、
前記水容器（１）の出入口（３）を水密に封緘する栓体（５）と、
直状の本体部分（２１）と、この本体部分（２１）の一端に連通接続される把手部分（２２）とよりなる吸上パイプ（２０）と、
一端部が、前記栓体（５）を貫通して前記水容器（１）内に開口され、他端部が前記吸上パイプ（Ａ）の把手部分（２）の自由端に連通接続される可撓性の導水パイプ（１０）と、
前記栓体（５）に設けられ、水容器（１）の上部のエア室（９）を外部に連通するエアパイプ（１２）と、
前記水容器（１）内に設けられて、該水容器（１）内の貯留水が所定レベル以上になると、前記エアパイプ（１２）を閉じる弁体（１６）と、
よりなる、水槽内清掃具。
【請求項３】
水槽（Ｔ）内の貯留水を吸い上げて水槽（Ｔ）の外へ排水するようにした、水槽内清掃具であって、
前記水容器（１）の出入口（３）を水密に封緘する栓体（５）と、
直状の本体部分（２１）と、この本体部分（２１）の一端に連通接続される把手部分（２２）とよりなる吸上パイプ（２０）と、
一端部が、前記栓体（５）を貫通して前記水容器（１）内に開口され、他端部が前記吸上パイプ（２０）の把手部分（２２）の自由端に連通接続される可撓性の導水パイプ（１０）と、
前記栓体（５）に設けられ、一方の開口端が水容器（１）の上部のエア室（９）に連通され、他方の開口端が前記水槽（Ｔ）内に連通可能な長さを有するエアパイプ（１２）と、
よりなる、水槽内清掃具。
【請求項４】
前記水容器（１）は、市販のペットボトルであることを特徴とする、前記請求項１，２または３記載の水槽内清掃具。
【請求項５】
前記水容器（１）の出入口（３）を水密に封緘する栓体（５）は、その外周面に、前記出入口（３）に密に挿嵌し得るテーパー面（６）を有してしることを特徴とする、前記請求項１，２，３または４記載の水槽内清掃具。
【発明の詳細な説明】
【技術分野】
【０００１】
本発明は、金魚、熱帯魚、海水魚等の観賞魚の飼育、育成に使用される水槽内の貯留水、特にその底部の汚れた貯留水を汚物と共に吸い上げて排水できるようにした、水槽内清掃具に関する。
【背景技術】
【０００２】
一般に、水槽内で金魚、熱帯魚、海水魚等観賞魚の飼育、育成するには、水槽内の貯留水を常に清浄化しておく必要があり、従来では、水槽に、エアポンプ、水中ポンプなどのポンプを備えた濾過装置を設け、そのポンプの駆動により水槽内の貯留水をその濾過装置内に強制循環させて浄化することが行われるが、かかる浄化手段だけでは、観賞魚を飼育、育成するに必要十分な水質が得られないため、従来から水槽内の水替えを定期的に行う必要があり、かかる水替え手段として、たとえば、後記特許文献１に開示される水槽内清掃具が知られている。
【特許文献１】特開２０００−２０９９７８号公報
【発明の開示】
【発明が解決しようとする課題】
【０００３】
ところで、前記特許文献１に開示される水槽内清掃具は、吸上パイプＰと、これに接続される可撓性に導水パイプ１７と、吸上パイプＰ内に設けられて吸上パイプＰから導水パイプ１７への水の流れを許容する第１および第２の一方向弁Ｖ1 ，Ｖ2 とを備え、水槽Ｔ内の水をサイフォン作用を利用して水槽Ｔの外へ排水するようにしている。
【０００４】
ところが、このものでは、吸上パイプ内に複数の一方向弁が設けられることから、吸上パイプ内を流れる水に混入する、糞、残餌、水草片などの汚物が、前記一方向弁に付着して、その作動不良を起こすことがあるという問題があり、また、このものでは、サイフォン作用により水の吸上作用を成立させるために、水槽内に進入させた吸上パイプの長手方向の往復作動を、複数回繰り返す必要があり、その操作が面倒であるばかりでなく多少の経験が必要であるという他の問題もある。
【０００５】
本発明はかかる事情に鑑みてなされたもので、前記従来の問題を解決した、新規な水槽内清掃具を提供することを目的とするものである。
【課題を解決するための手段】
【０００６】
前記目的達成のため、本請求項１の発明は、水槽内の貯留水を吸い上げて水槽の外へ排水するようにした、水槽内清掃具であって、外部から外力を加えることにより弾性変形可能であり、収容容量を無段に可変とする、ボトル状の水容器と、前記水容器の出入口を水密に封緘する栓体と、直状の本体部分と、この本体部分の一端に連通接続される把手部分とよりなる吸上パイプと、一端部が、前記栓体を貫通して前記水容器内に開口され、他端部が前記吸上パイプの把手部分の自由端に連通接続される可撓性の導水パイプと、前記栓体に設けられ、水容器の上部のエア室を外部に連通するエアパイプとよりなることを特徴としている。
【０００７】
前記目的達成のため、本請求項２の発明は、水槽内の貯留水を吸い上げて水槽の外へ排水するようにした、水槽内清掃具であって、
外部から外力を加えることにより弾性変形可能であり、収容容量を無段に可変とする、ボトル状の水容器と、前記水容器の出入口を水密に封緘する栓体と、直状の本体部分と、この本体部分の一端に連通接続される把手部分とよりなる吸上パイプと、一端部が、前記栓体を貫通して前記水容器内に開口され、他端部が前記吸上パイプの把手部分の自由端に連通接続される可撓性の導水パイプと、前記栓体に設けられ、水容器の上部のエア室を外部に連通するエアパイプと、前記水容器内に設けられて、該水容器内の貯留水が所定レベル以上になると、前記エアパイプを閉じる弁体とよりなることを特徴としている。
【０００８】
前記目的達成のため、本請求項３の発明は、水槽内の貯留水を吸い上げて水槽の外へ排水するようにした、水槽内清掃具であって、
外部から外力を加えることにより弾性変形可能であり、収容容量を無段に可変とする、ボトル状の水容器と、前記水容器の出入口を水密に封緘する栓体と、直状の本体部分と、この本体部分の一端に連通接続される把手部分とよりなる吸上パイプと、一端部が、前記栓体を貫通して前記水容器内に開口され、他端部が前記吸上パイプの把手部分の自由端に連通接続される可撓性の導水パイプと、前記栓体に設けられ、一方の開口端が水容器の上部のエア室に連通され、他方の開口端が前記水槽内に連通可能な長さを有するエアパイプとよりなることを特徴としている。
【０００９】
前記目的達成のため、本請求項４の発明は、前記請求項１，２または３のものにおいて、前記水容器は、市販のペットボトルであることを特徴としている。
【００１０】
前記目的達成のため、本請求項４の発明は、前記請求項１，２，３または４のものにおいて、前記水容器の出入口を水密に封緘する栓体は、その外周面に、前記出入口に密に挿嵌し得るテーパー面を有してしることを特徴としている。
【発明の効果】
【００１１】
前記請求項各項の発明によれば、水槽内の貯留水を、サイフォン作用を利用して吸い上げて排出する水槽内清掃具において、水容器の押圧操作で水槽内の貯留水を糞、残餌などの汚物と共に吸い上げて排出することができ、誰にでも簡単容易に、的確に排水作業を行うことができ、また、水槽内の貯留水を吸い上げる吸上パイプおよびこれに接続される導水パイプ内に、水と共に吸い上げられる糞、残餌などの汚物が滞留することなく、常に円滑、確実に水の吸上作用を連続的に継続することができる。また、水槽内の水の排出量を容易に知ることができる。
【００１２】
特に、請求項２項の発明によれば、水容器に貯留された水がエアパイプを通って外部に漏れる心配がない。
【００１３】
特に、請求項３項の発明によれば、水容器に貯留された水が、エアパイプに流れることがあってこれを水槽に戻すことができる。
【００１４】
特に、請求項４項の発明によれば、水容器として市販のペットボトルを利用できるので、廉価に提供することができる。
【００１５】
特に、請求項５項の発明によれば、水容器の出入口の大きさが違っていても支障なく対応することができる。
【発明を実施するための最良の形態】
【００１６】
以下、本発明の実施の形態を、添付図面に示した本発明の実施例に基づいて説明する。      
【００１７】
まず、図１〜８を参照して本発明の第１実施例について説明するに、図１は、水槽内清掃具の全体側面図、図２は、図１の２矢視仮想線囲い部分の拡大断面図、図３は、図１の３矢視仮想線囲い部分の拡大断面、図４は、図２の４−４線に沿う断面図、図５は、図２の５−５線に沿う断面図、図６は、水槽内清掃具を水槽にセットした状態を示す図、図７は、水容器の作用を示す断面図、図８は、水容器内に水が満杯になったときの水容器の部分断面図である。
【００１８】
本発明の水槽内清掃具は、水槽Ｔの外に配置される水容器１と、水槽Ｔ内に浸漬される吸上パイプ２０と、水容器１と吸上パイプ２０を接続する導水パイプ１０と、水容器１上部のエア室９を外気に連通するエアパイプ１２と、このエアパイプ１２を閉じる弁体としてのフロート弁１６と、前記水容器１の出入口３を閉じる栓体５とより構成される。
【００１９】
まず、図１，２および４，５を参照して、水容器１の構造について説明するに、この水容器１は、透明の柔軟な合成樹脂材によりボトル状に形成されており、その主体部を構成する胴部分２は、薄く形成されていて、外部から押圧力を加えることにより容易に弾性変形し、またその押圧力を解除すれば直ちに元の状態に復元できるように構成されている。そして、この密閉状の水容器１は、その胴部２を外部からの押圧することで、内方に弾性変形しその収容容積が減じてその内部に水を吸引できるようにされている。
【００２０】
図２，３に示すように、水容器１の上部は逆漏斗状に形成されていてその上端に円筒状の出入口３が設けられる。前記出入口３には、栓体５が抜差自在に差し込まれて水密に閉じられる。
【００２１】
栓体５は、合成樹脂材により中空の円筒状に形成されており、その上半部の外周面は、上方に向かって広がるテーパー面６に形成されており、このテーパー面６は、出入口３の内周面に密に挿嵌されて、出入口３が水密に閉じられる。
【００２２】
なお、図２鎖線に示すように、前記テーパー面６を有する栓体５は、水容器１の出入口３の口径が変わっても、その出入口３を水密に封緘できるようにされている。
【００２３】
栓体５の内部の中間に設けた隔壁７には、後述する導水パイプ１０の下部が水密に貫通され、この導水パイプ１０の下端は、水容器１内の上部に開口されている。また、前記隔壁７には、導水パイプ１０よりも小径の接続パイプ８が貫通支持されており、この接続パイプ８の下端は、水容器１内の上部のエア室９に開口されている。また接続パイプ８の上部には、前記導水パイプ１０よりも小径であり、外気に開口されるエアパイプ１２の下端が接続されている。水容器１内上端のエア室９はこのエアパイプ１２を通して外気に連通される。図４，５に示すように、栓体５内の隔壁７には、一対の棒状のガイド１４が一体に垂下されており、そのガイド１４にフロート弁１６が昇降可能に支持されており、またガイド１４の下端には係止部１５が一体に形成され、フロート弁１６はその係止部１５に係合して下限位置に保持される（図４参照）。前記フロート弁１６は、フロート１７と、その上部に一体に設けた針弁１８とよりなり、水容器１内の貯留水の水位が上昇すると、接続パイプ８すなわちエアパイプ１２を閉じるようにされている。
【００２４】
つぎに、図１，３を参照して、前記吸上パイプ２０について説明する。
【００２５】
吸上パイプ２０は、透明な硬質の合成樹脂材により構成されて、水槽Ｔの外から該水槽Ｔの貯留水内に挿入可能であり、先端が開口された真っ直ぐな円筒状の本体部分２１と、その基端、すなわち下流端に抜差自在に水密に接続されるエルボ状の把手部分２２とよりなり、この把手部分２２は、エルボパイプ２２ａと直状パイプ２２ｂとを抜差自在に水密に接続して構成され、エルボパイプ２２ａの中間部は操作者が握り易いように鈍角に屈曲されている。直状パイプ２２ｂの内端には、エルボパイプ２２ａ内に進入する小径部２２ｃが一体に形成されており、この小径部２２ｃの内周面にジョイント２３をもって導水パイプ１０の内端、すなわち上流端が抜差可能に接続される。ジョイント２３の外周面には先細りの雄テーパ面が形成され、一方、前記小径部２２ｃの内周面には、末広がりの雌テーパ面が形成されており、それらのテーパ面間に可撓性の導水パイプ１０の上流端を挟持接続することにより、その導水パイプ１０が吸上パイプ２０から抜け出さないようにされている。
【００２６】
前記導水パイプ１０は、塩化ビニールパイプなどよりなる可撓性で弾性のある透明なパイプより構成されており、その長さは水槽Ｔの高さよりも長く形成されていて、その上端（下流端）は、前述のように吸上パイプ２０に連通接続され、また、その下端（上流端）は、前述のように、水容器１の栓体５に連通接続される。
【００２７】
つぎに、図６，７を参照して、前記清掃具を用いて水槽Ｔ内、特にその底部の汚れた水を吸い上げて排水する手順について説明する。
【００２８】
(1) 図６に示すように、水容器１と吸上パイプ２０とを導水パイプ１０をもって連通接続して、空の水容器１を水槽Ｔよりも低位置に設置する。つぎに、吸上パイプ２０の把手部分２２を把持して、その吸上パイプ２０を水槽内の挿入し、該吸上パイプ２０内に水槽Ｔ内の水を進入させ、その開口端を、水槽Ｔ内の底部の汚れたところに位置させる。
【００２９】
(2) つぎに、図６（Ａ）白ぬき矢印Ｆに示すように、水容器１の胴部２を把持して押圧力をもって内方に押圧する。これにより、該容器内のエアは、図６（Ａ）点線矢印ａに示すように、導水パイプ１０を通って外気に放出されて、水容器１内の容積を減少される。ここで、前記押圧力を解除すると、水容器１の胴部２は図（ｂ）白ぬき矢印Ｆ′に示すように、自己の弾性力により復元し、水容器１の容積が元に戻るので、水容器１内のエアをエアパイプ１２を通して外気に放出しながら、水Ｔ内の貯留水は、サイフォン作用により魚糞、残餌などの汚物と共に吸上パイプ１０より導水パイプ１０を通って水容器１内に連続的に吸い上げられる。
【００３０】
(3) 図８に示すように、水容器１内が水位がアッパレベルに達すれば、フロート１７が上昇して接続パイプ８、すなわちエアパイプ１２を閉じるに至り、水容器１内への水の吸い上げが停止される。
【００３１】
(4) 前述のように、水容器１内に水が充填されたら、吸上パイプ２０を水槽Ｔより抜取り、栓体５を外して、水容器１内の水を廃棄する。
【００３２】
(5) 以上、(1) 〜(4) の動作を繰り返すことにより、水槽Ｔ内の所定量の水を汚物と共に回収することができ、水槽Ｔ内の清掃を行なうことができる。
【００３３】
なお、この第１実施例において、図２鎖線に示すように、栓体５の上部外周面は上方拡がりのテーパー面６に形成されているので、水容器１の出入口３の口径の違いに対応することができる。また、水容器１の水の収容容量は略一定であるので、水槽Ｔより吸い上げられる水の流量を知ることできる。
【００３４】
つぎに、図９〜１１を参照して、本発明の第２実施例について説明する。
【００３５】
図９は、水槽内清掃具の全体側面図、図１０は、図９の１０矢視仮想線囲い部分の拡大断面図、図１１は、図１０の１１−１１線に沿う断面図であり、図中、前記第１実施例と同じ部材には同じ符号が付される。
【００３６】
この第２実施例は、前記第１実施例におけるフロート弁１６を省略してエアパイプ１２を長く延長させたものである。接続パイプ８に連通接続されるエアパイプ１２は、導水パイプ１０に一体に並設されて長く形成されており、図９に示すように、その上部は導水パイプ１０より分岐されて、その開口上端を水槽Ｔの上部に臨ませる。
【００３７】
しかして、この第２実施例によれば、前述したように、サイフォン作用により水槽Ｔ内の水が、水容器１内に吸い上げられるとき、該水容器１内の残留エアは、接続パイプ８からエアパイプ１２を経て外気に放出されるが、その際に、水容器１内に貯留された水がエアパイプ１２を経て外部に排出されることがあってもこの排水は水槽Ｔ内に戻すことができる。
【００３８】
この第２実施例では、フロート弁を必要としないので、部品点数が削減されて構造の簡素化を図ることができる。
【００３９】
なお、前記第１，２実施例において、前記水容器１として、市販のペットボットルを用いることができる。
【００４０】
以上、本発明の実施例について説明したが、本発明はその実施例に限定されることなく、本発明の範囲内で種々の実施例が可能である。
【００４１】
たとえば、前記第１実施例では弁体としてフロート弁を用いた場合を説明したが、これに代えて、フラップ弁など他の弁体を用いてもよい。また、前記第２実施例では、導水パイプとエアパイプとが一体に並列されているが、これらを別体に形成してもよい。さらに、前記栓体は、出入口に螺着されるキャップであってもよい。
【図面の簡単な説明】
【００４２】
【図１】水槽内清掃具の全体側面図（第１実施例）
【図２】図１の２矢視仮想線囲い部分の拡大断面図
【図３】図１の３矢視仮想線囲い部分の拡大断面
【図４】図２の４−４線に沿う断面図
【図５】図２の５−５線に沿う断面図
【図６】水槽内清掃具を水槽にセットした状態を示す図
【図７】水容器１の作用を示す断面図
【図８】水容器１内に水が満杯になったときの水容器の部分断面図
【図９】水槽内清掃具の全体側面図（第２実施例）
【図１０】図９の１０矢視仮想線囲い部分の拡大断面図
【図１１】図１０の１１−１１線に沿う断面図
【符号の説明】
【００４３】
１・・・・・・・・・・・水容器
３・・・・・・・・・・・出入口
５・・・・・・・・・・・栓体
６・・・・・・・・・・・テーパー面
９・・・・・・・・・・・エア室
１０・・・・・・・・・・・導水パイプ
１２・・・・・・・・・・・エアパイプ
１６・・・・・・・・・・・弁体（フロート弁）
２０・・・・・・・・・・・吸上パイプ
２１・・・・・・・・・・・本体部分
２２・・・・・・・・・・・把手部分
Ｔ・・・・・・・・・・・水槽
【図１】
2008259474.tif 000003
【図２】
2008259474.tif 000004
【図３】
2008259474.tif 000005
【図４】
2008259474.tif 000006
【図５】
2008259474.tif 000007
【図６】
2008259474.tif 000008
【図７】
2008259474.tif 000009
【図８】
2008259474.tif 000010
【図９】
2008259474.tif 000011
【図１０】
2008259474.tif 000012
【図１１】
2008259474.tif 000013